(57)【要約】      （修正有）【課題】極めて小さく収納でき、緊急時における収納ケースからの迅速かつ容易な取り出しを可能とするとともに、取り扱い等の指示を適切に伝達可能とする持手指示機能付担架を提供する。【解決手段】コンパクトに収納可能な担架であって、突出部を有さない矩形の不織布１０からなる不織布シート１６により全体が構成され、不職布シート１６の各辺の縁部は表面１１側から裏面１２側に折り返えして係止することで補強され、該縁部の内側には手指示機能１５を有する穴１３又はスリット１７の持ち手部１４が複数設けられ、前記指示機能１５は前記不織布シート１６の表側の前記持ち手部１４の縁に前記不織布シート１６と異なる配色を施したことで発揮され、担架の取り扱いに関する指示を容易にする構成を採用した。【選択図】図１
0003209799.tif 000002
【実用新案登録請求の範囲】
【請求項１】
コンパクトに収納可能な担架であって、
突出部を有さない矩形の不織布１０からなる不織布シート１６により全体が構成され、
前記不職布シートの各辺の縁部は表面１１側から裏面１２側に折り返えして係止することで補強され、
該縁部の内側には手指示機能１５を有する穴１３又はスリット１７の持ち手部１４が複数設けられ、
前記指示機能１５は前記不織布シート１６の表側の前記持ち手部１４の縁に前記不織布シート１６と異なる配色を施したことで発揮され、
担架の取り扱いに関する指示を容易にしたことを特徴とする持手指示機能付担架１。
【請求項２】
前記指示機能１５が前記不織布シート１６の表側の前記持ち手部１４の周囲に前記不織布シート１６とは異なる配色の模様を施したことで発揮されることを特徴とする請求項１に記載の持手指示機能付担架１。
【請求項３】
前記不織布シート１６の裏面１２に非透水性シート２０を敷設したことを特徴とする請求項１又は請求項２に記載の持手指示機能付担架１。
【請求項４】
前記非透水性シート２０がシリコンゴムシート２１であることを特徴とする請求項１から３の何れかに記載の持手指示機能付担架１。
【請求項５】
前記持手指示機能付担架１をコンパクトに収納するとともに緊急時には迅速に取り出せる担架の設置システムであって、
前記持手指示機能付担架１と、前記持手指示機能付担架１を折り畳んだ状態で収納する収納ケース３０から構成され、
前記収納ケース３０には該収納ケース３０を被具設物４０に具設するために備える具設部材３４が設けられ、
該具設部材３４に対応する被具設部材３６によって人の生活空間内に設置可能とし、
底部には前記持手指示機能付担架１を出し入れするために開口させた担架取出部３１と該担架取出部３１を閉塞するための蓋体３２が設けられ、
該蓋体３２によって前記持手指示機能付担架１が未使用の時は前記担架取出部３１は閉塞し、
折り畳まれた前記持手指示機能付担架１は、前記蓋体３２を開口して前記担架取出部３１から自然落下により取り出せることを特徴とする持手指示機能担架設置システム２。
【請求項６】
前記持手指示機能付担架１の四辺のうちの一辺の一部に磁性部材３５を備え、
前記収納ケース３０の上部には永久磁石３３を備え、
前記持手指示機能付担架１を折り畳んで収納した時に前記磁性部材３５と前記永久磁石３３と磁着し、前記蓋体３２を開口しても自重によって前記持手指示機能付担架１は落下せず、
該持手指示機能付担架１を引き下げることによって磁着状態が開放され、前記担架取出部３１から自然落下により取り出せることを特徴とする請求項５に記載の持手指示機能付担架設置システム２。
【考案の詳細な説明】
【技術分野】
【０００１】
本考案は担架の技術に関し、詳しくは、不織布を素材とした軽量でコンパクトに収納でき、色彩や模様といった視覚で持ち手の位置を確認しやすく、取り扱いの指示を容易にする担架及びこれを収納するシステムの技術に関するものである。
【背景技術】
【０００２】
従来より、緊急の事故等による怪我人の移動や搬送には、車輪付きのストレッチャーや、金属製の軸間に布体で構成される所謂担架が用いられてきた。係る担架やストレッチャーには、折り畳み機能を有するものなども登場し、コンパクトに変形させることが可能となってきている。しかしながら、金属性部材や厚手の布体で構成されるものではコンパクト化にも限界があり、いまだに満足できるとはいいがたい。また、怪我人に利用した場合には血液や体液などが付着し、次の使用のための洗浄並びに消毒等の衛生的な措置が必要である。この点については素材にターポリン生地を用いることにより水洗いできる担架が商品化されている。しかし、水洗いできても感染症を完全に予防することはできない。そこで、その都度新たなものを利用できる担架が求められているといえる。
【０００３】
また、地震などの災害や事故などの緊急時においては、訓練を受けていない一般人でも人命救助のために協力しなくてはならない場合がある。このような場合に、怪我人や病人を安全に担架に乗せ搬送するためには、指示を出す者が指示し易く、またその指示を受ける者が間違いのない行動をとれるような担架が求められているといえる。更に、衛生管理上、外部と遮断するケースなどに担架を収納しておくことも必要であり、取り出しの際は、緊急時でも慌てることなく確実に取り出すことが可能な担架の設置システムも求められているといえる。
【０００４】
上記の問題を解決すべく、従来からも種々の技術が提案されている。例えば、特許文献１には、発明の名称を「保護材およびその使用」とする技術が公知技術となっている（特許文献１参照）。具体的には「保護材において、前記保護材が、細長平板型材であり、前記保護材が、網状組織強化ポリマー材料から作られたコア層を少なくとも有する本体層と、前記本体層の上面に設けられかつ前記本体層の上面に少なくとも部分的に結合された少なくとも１つの吸収性の繊維ベースの層と、前記保護材における前記本体層の長手方向の外縁部に設けられかつ前記本体層の上面に結合されている縁部補強材とを少なくとも含む、層状構造の形態」としたものである。係る技術は、コンパクトに折り畳んで収納できるという本考案と共通する課題を解決しようとするものである。しかしながら、係る技術は積層不織布を用い、更に強化繊維層を複合的に用いるものであるため、製造工程が多くなり、コストや作業負担も大きく、その結果、安価に提供することができず、本考案の課題を解決するに至っていない。
【０００５】
また、発明の名称を「介護用シート」とする技術も提案され、すでに公知技術となっている（特許文献２参照）。具体的には「介護者に無理な姿勢をとらせることなく容易に患者を移動させることができる」ことを課題とし、「表裏面をそれぞれ摩擦係数の異なる上側シートと下側シートとし、前記下側シートのすべり面は前記上側シートが重合する部分と残部を色分けした介護用シート」とするものである。係る技術は、色彩を用いることで人を乗せる位置を明確にし、前記の課題を解決するものである。従って、指示を出す者が指示し易く、またその指示を受ける者が間違いのない行動をとることができるという本考案の課題を解決するに至っていない。
【０００６】
また、発明の名称を「携帯用担架」（特許文献３参照）及び「簡単担架」（特許文献４参照）とする技術も提案され、すでに公知技術となっている。これらは、何れもベルトによる取手部を複数有し、係るベルトは、担架本体の補強部材を兼用するものであって、複数の持ち手は、シートから突出して備えられるため、折り畳んだ際に取手部も折り畳なければならず、その分、コンパクトに収納することが困難であり、また、取手部が折り畳んだ状態において、外側に突出してしまうと収納ケースから滑り落ちにくくなってしまうという問題を含んでいるといえる。更には、このような複雑な構造では、製造にコストや手間がかかるという問題点もある。
【０００７】
また、上記の何れの文献にも、誰にでも取り扱える指示機能を備えることが必要だという問題や、どこにでも衛生的に設置可能であって、容易に取り出すことができる担架収納システムについては記載も示唆もされていない。
【先行技術文献】
【特許文献】
【０００８】
【特許文献１】特表２０１４−５３１９９２号公報
【特許文献２】特開平９−３８１４０号公報
【特許文献３】特開２００６−３４８８４号公報
【特許文献４】特開２００５−２７９１８４号公報
【考案の概要】
【考案が解決しようとする課題】
【０００９】
本考案に係る持手指示機能付担架は、極めて小さく収納でき、緊急時における収納ケースからの迅速かつ容易な取り出しを可能とするとともに、取り扱い等の指示を適切に伝達可能とする担架の提供を課題とするものである。
【課題を解決するための手段】
【００１０】
本考案は、コンパクトに収納可能な担架であって、突出部を有さない矩形の不織布からなる不織布シートにより全体が構成され、前記不職布シートの各辺の縁部は表面側から裏面側に折り返えして係止することで補強され、該縁部の内側には手指示機能を有する穴又はスリットの持ち手部が複数設けられ、前記指示機能は前記不織布シートの表側の前記持ち手部の縁に前記不織布シートと異なる配色を施したことで発揮され、担架の取り扱いに関する指示を容易にする構成手段を採用した。
【００１１】
また、本考案は、前記指示機能が前記不織布シートの表側の前記持ち手部の周囲に前記不織布シートとは異なる配色の模様を施したことで発揮される構成手段を採用することもできる。
【００１２】
また、本考案は、前記不織布シートの裏面２に非透水性シートを敷設する構成手段を採用することもできる。
【００１３】
また、本考案は、前記非透水性シートがシリコンゴムシートとする構成手段を採用することもできる。
【００１４】
また、本考案は、前記持手指示機能付担架をコンパクトに収納するとともに緊急時には迅速に取り出せる担架の設置システムであって、前記持手指示機能付担架と、前記持手指示機能付担架を折り畳んだ状態で収納する収納ケースから構成され、前記収納ケースには該収納ケースを被具設物に具設するために備える具設部材が設けられ、該具設部材に対応する被具設部材によって人の生活空間内に設置可能とし、底部には前記持手指示機能付担架を出し入れするために開口させた担架取出部と該担架取出部を閉塞するための蓋体が設けられ、該蓋体によって前記持手指示機能付担架が未使用の時は前記担架取出部は閉塞し、折り畳まれた前記持手指示機能付担架は、前記蓋体を開口して前記担架取出部から自然落下により取り出せる構成手段を採用したシステムとすることもできる。
【００１５】
また、本考案は、前記持手指示機能付担架の四辺のうちの一辺の一部に磁性部材を備え、前記収納ケースの上部には永久磁石を備え、前記持手指示機能付担架を折り畳んで収納した時に前記磁性部材と前記永久磁石と磁着し、前記蓋体を開口しても自重によって前記持手指示機能付担架は落下せず、該持手指示機能付担架を引き下げることによって磁着状態が開放され、前記担架取出部から自然落下により取り出せる構成手段を採用したシステムとすることもできる。
【考案の効果】
【００１６】
本考案に係る持手指示機能付担架及び持手指示機能付担架設置システムによれば、突出部を有さない矩形形状に折り畳んでケースに収納できるため、ケースから取り出しやすく、素材に不織布を用いていることから軽量であり、安価に製造できるため、その都度新たな担架を使用し易く、衛生上の安全性を確保することが可能となる点で、従来の技術と比較した有利な効果を発揮するものである。
【００１７】
また、本考案に係る持手指示機能付担架によれば、持ち手部に色彩や模様を付することで指示を出す者と指示を受ける者との間で意思の疎通が図りやすく緊急時にも慌てずに救助等を安全に行うことができるという優れた効果を発揮するものである。
【００１８】
また、本考案に係る持手指示機能付担架設置システムによれば、コンパクトに持手指示機能付担架を収納したケースを磁性特性を有する金属等へ磁着させることが可能であるため、例えばＡＥＤ（自動体外式除細動器）が備えられたケースの下部やスチールドアであったり、家庭であれば冷蔵庫等にも場所を取ることなく備えておくことが可能となる有利な効果を発揮するものである。
【図面の簡単な説明】
【００１９】
【図１】本考案に係る持手指示機能付担架の第一の基本構成を示す構成説明図である。
【図２】本考案に係る持手指示機能付担架の第ニの基本構成を示す構成説明図である。
【図３】本考案に係る持手指示機能付担架の第三の基本構成を示す構成説明図である。
【図４】本考案に係る持手指示機能付担架に積層した構成の実施例を説明する構成説明図である。
【図５】本考案に係る持手指示機能付担架設置システムの第一の基本構成を示す構成説明図である。
【図６】本考案に係る持手指示機能付担架設置システムの第ニの基本構成を示す構成説明図である。
【図７】本考案に係る持手指示機能付担架設置システムの実施状態を示す実施例説明図である。
【考案を実施するための形態】
【００２０】
本考案に係る持手指示機能付担架１及び持手指示機能付担架設置システム２は、担架の持ち手部１４の位置を指示しやすくするために色彩又は模様を付したことを最大の特徴とするものである。以下、図面に基づいて説明する。なお、図面に示したものはあくまでも例示であって、特に特定した場合を除き、図面に示した寸法や大きさ、或いは形状等に限定されるものではなく、本考案の技術的思想の創作の範囲内で変更するものができるものとする。
【００２１】
図１は、本考案に係る持手指示機能付担架１の第一の基本構成を示す構成説明図である。図１（ａ）は、表面１１に垂直な方向から見た平面視を示した図であり、図１（ｂ）は、本考案に係る持手指示機能付担架１の縁部を側方から見た断面視を示している。
【００２２】
不織布１０は、繊維を一定方向やランダムに集積し、接着樹脂による化学的な結合、機械的な結合、圧力水流による結合、若しくは熱融着繊維による結合などによって製造される多種多様な素材である。不織布１０は繊維に方向性を持たせなければ、強度方法並びに伸びなどにも方向性を持たない特性を与えることも容易であり、他方、繊維に方向性を与えれば、強度方法並びに伸びにも方向性を与えることも可能な素材である。また、不織布１０は吸水性に富むものが多いため、出血している場合では受傷位置を把握し易くなり、また、安価に入手できる素材であることから、都度の交換にも適応しやすく、本考案における担架に好適な素材である。なお、複数の素材を容易に組み合わせることもできる等の特徴を有するが、本考案では傷病者を乗せて運ぶ担架に用いることから、係る不織布１０を単体の素材として用いるには安全な耐荷重特性が必要である。
【００２３】
そこで、係る耐荷重特性を満たす不織布１０の種類としては、スパンボンド製造法により長繊維を連続的に積層した高強度の不織布１０などがある。これらはポリエステルやポリプロピレンなどを主要原料とするものでは、少なくとも耐荷重１２０ｋｇ以上あり、例えば、株式会社日本緑十字社から提供されている担架に用いられている素材のポリプロピレンを用いたスパンボンド不織布１０の耐荷重は１２０ｋｇであり、メーカー耐荷重実験では２００ｋｇをクリアしている。即ち、これらを主要原料とすれば、日本人の平均体重が男子で約６６ｋｇ、女子で５３ｋｇであることからすると、安全率も３から４程度となり、十分な耐荷重特性を有する素材といえる。
【００２４】
不織布シート１６は、不織布１０を素材とした矩形のシート状部材であり、図１（ａ）及び図１（ｂ）に示すように、表面１１には、持ち手部１４の指示機能１５を有する穴１３又はスリット１７の持ち手部１４が複数設けられる。
【００２５】
持ち手部１４は、穴１３又はスリット１７と、これらの縁部に着色された配色、若しくは模様から構成され、穴１３は不織布シート１６を掴むための開口穴であり、持手指示機能付担架１に人を乗せることによって伸張されることを考慮して、略楕円形状とすることが望ましい。また、スリット１７は、切り欠き加工のみによって不織布シート１６に設けることが可能であり、製造容易といえるが、切り欠きのそれぞれの端部から延長するように裂けやすくなるため、両端には荷重を逃がすための丸穴を設けることが望ましい。
【００２６】
指示機能１５は、図１（ａ）に示した通り、第一の基本構成では、持ち手部１４の縁部を不織布シート１６の表面１１の色彩と異なる配色としている。係る配色は持ち手部１４の位置を明確に視覚で確認できるようにしたものであり、特に生命に関わる緊急時等において経験の少ない人が救助をする場合でも、安全に作業を進める上での諸注意を促し易く、指示をする者とされる者の双方がわかり易くなるという効果を発揮する。
【００２７】
なお、前記した色彩については、特に限定されるものではないが、近似色を避けて、例えば持ち手部１４が８個の場合、左右一組を４つに分けて、それぞれ黄色と赤と青と緑のように識別し易い有彩色の中から４色を選択することなどが好ましい。このような配色とすることで、救助活動の経験のない人に対し、どの持ち手部１４を掴んだらよいか、色を指定することで、明確に指示を与えることができる。但し、前記配色に限定されるものではなく、例えば、同じ色相の赤色系であっても明度や彩度を変化させることにより視覚にはっきりと区別がつくのであれば良い。
【００２８】
図１（ｂ）に示した通り、本考案に係る持手機能付担架の四辺の各縁部は、表面１１から裏面１２に折り返されることで補強され、縫製等により係止される構成である。なお、図１（ｂ）は不織布シート１６を一枚のみで構成される状態を示しているものであって、折り返された部分の二枚構成をもって積層構造を示すものではない。
【００２９】
図２は、本考案に係る持手指示機能付担架１の第ニの基本構成を示す構成説明図である。図２（ａ）は、前記図１（ａ）と同様に、表面１１に垂直な方向から見た平面視を示した図であり、図２（ｂ）は、本考案に係る持手指示機能付担架１の縁部を側方から見た断面視を示している。
【００３０】
図２（ａ）に示した通り、第ニの基本構成では、持ち手部１４の周囲を覆うように不織布シート１６の表面１１の色彩と異なる色に配色し、持ち手部１４の位置を明確に視覚で確認できるようにしたものであり、その効果は前記第一の基本構成と同様である。
【００３１】
なお、前記した色彩の配色、及び図２（ｂ）に示した断面視の説明については、前記第一の基本構成と同様であるため省略する。
【００３２】
図３は、本考案に係る持手指示機能付担架１の第三の基本構成を示す基本説明図である。図３（ａ）は、図１（ａ）及び図２（ａ）と同様に、表面１１に垂直な方向から見た平面視を示した図であり、図３（ｂ）は、本考案に係る持手指示機能付担架１の縁部を側方から見た断面視を示している。
【００３３】
図３（ａ）に示す通り、本考案に係る持ち手部１４の指示機能１５が、前記の配色によって発揮するものではなく、模様等の形状により発揮される構成としたものである。持ち手部１４付近、若しくは、持ち手部１４を囲むような形状等のデザインや図３（ａ）に示したように言葉にし易い形状の模様（シカク・マル・ホシ・ハート等）を付することにより、色盲等の視覚障害を有する人や暗闇で色彩の区別がつきにくい状況下においても、持ち手部１４の位置の指示等を適切に把握できるという効果を発揮する。更に好ましくは、前記配色と前記模様を併用することで、指示の把握をよりし易くするという相乗効果を得る構成を採用することが望ましい。
【００３４】
また、前記の配色並びに前記模様には、暗闇でも見やすい状態にすべく、蛍光塗料や蓄光塗料を用いたり、塗料中に光を乱反射させるフレークを混入させたものを利用するなどして、持ち手部１４の位置をより把握し易い構成とすることも有効である。但し、蓄光塗料の場合は、光源からの光を受けなければならない為、収納ケース３０や設置に際し、光源から光を受けられる状態を確保する構造の収納体としなければならないため、収納ケース３０自体に畜光塗料や蛍光塗料を塗布する構成が有効である。なお、図３（ｂ）に示した断面視の説明については、前記第一及び第二の基本構成と同様であるため省略する。
【００３５】
図４は、本考案に係る持手指示機能付担架１を積層構造とした場合の実施例を示している。図４（ａ）は、積層構造体の一部として本考案に係る上面に配置される不織布シート１６であり、図４（ｂ）は、積層構造体として不織布シート１６の背面に貼着される非透水性シート２０であり、不織布シート１６と前記非透水性シート２０が積層されて多重構造を構成する実施例を示したものである。なお、非透水性シート２０は担架利用者の血液や体液を下方へ、流出させることのない非透水性の性質を有するものであれば良い。更に好ましくは、不織布シート１６の負担を軽減させる強度を備えた素材であることが望ましい。例えば、図４（ｂ）に示した非透水性シート２０にシリコンゴムシート２１を用いることが好適である。なお、シリコンゴムシート２１は弾性特性、電気絶縁性、耐熱性、耐寒性に優れ、また、非透水性も高く、積層することによってこれらの特性を利用する持手指示機能付担架１とする構成も有効である。
【００３６】
また、図４には示していないが、考案の名称を「シーツ」とする実用新案登録第３１８７９５２号を素材とし、本考案に係る模様を付する構成を採用することも有効である。具体的には、肌触りをよくするためのコットン不織布層と、透液防止層及び強度保持層としての樹脂フィルム層と、強度保持層としての割布層とが積層されたシーツを素材として、持手指示機能１５を有する穴１３又はスリット１７の持ち手部１４を複数設け、係る持ち手部１４の縁若しくは周囲に色彩を付する構成又は模様を付する構成とする。係る構成を採用することにより肌触り性を向上させつつ、コンパクトな収納性、色彩等による指示機能１５、及び高い強度を発揮する態様の担架とすることが可能となる。
【００３７】
図５は、本考案に係る持手指示機能付担架設置システム２の第一の基本構成を示しており、図５（ａ）は、持手指示機能付担架１を示し、図５（ｂ）は、折り畳まれた前記持手指示機能付担架１とこれを収納する収納ケース３０を示し、図５（ｃ）から図５（ｅ）は、前記折り畳まれた持手指示機能付担架１を折り返して展開していく事を示している。
【００３８】
本考案に係る持手指示機能付担架設置システム２は、収納ケース３０に、持手指示機能付担架１を収納して設置するためのシステムであって、該収納ケース３０は、担架取出部３１と、蓋体３２と、具設部材３４とからなり、該具設部材３４は収納ケース３０を被具設物４０に具設させ、下方の蓋体３２を開くことにより担架取出部３１から持手指示機能付担架１が自重によって自然落下させる構成である。
【００３９】
また、本考案に係る持手指示機能付担架システム２は、前記のとおり収納ケース３０に永久磁石３３を備える構成を採用することもでき、磁性部材３５で構成されるＡＥＤ収納ケースや冷蔵庫、或いはスチールドア等へ磁着可能である。従って、緊急時でもすぐに取り出せることができ、また日常生活において常に目に触れる場所に設置することが可能となっている。
【００４０】
具設部材３４は、被具設部材３６と関わって被具設物４０に収納ケース３０を具設する。係る具設部材３４と被具設部材３６は、例えば永久磁石と磁性材、フックとフック穴、面ファスナーのループ側とフック側のように、対応する二つの部材を備えることで設置を可能とするものである。例えば、ＡＥＤが収納されているケースは鉄製のものがほとんどであるため、具設部材３４に永久磁石３３を用いれば、被具設部材３６を被具設物４０である該ＡＥＤの収納ケースとして利用し、持手指示機能付担架設置システム２を設置可能とすることもできる。なお、係る具設部材３４と被具設部材３６は、必ずしも部材として必要としない場合があり、例えばＡＥＤ収納ケースが樹脂製である場合は、紐状部材による縛着、接着テープによる貼着、タッピングビスによる螺設などの具設部材３４のみとなる場合もある。即ち、被具設部材３６は必須ではなく、具設部材３４によって被具設物４０に収納ケース３０を設置可能とする構成であればよい。
【００４１】
被具設物４０は、壁や家具、或いは電気製品等のあらゆる日常空間に設置されているものであり、常に視覚内に持手指示機能付担架設置システム２を配置可能とする場所にあるものであることが望ましい。
【００４２】
図６は、本考案に係る持手指示機能付担架設置システム２の第二の基本構成を示しており、図６（ａ）は、持手指示機能付担架１が収納ケース３０に収納された状態を示し、図６（ｂ）は、折り畳まれた前記持手指示機能付担架１とこれを収納する収納ケース３０を示し、図６（ｃ）から図６（ｅ）は、前記折り畳まれた持手指示機能付担架１を折り返して展開していく事を示し、図６における収納ケース３０には上部に永久磁石３３を備え、収納ケース３０自体を磁性材料に磁着させることが可能とするとともに、持手指示機能付担架１の一辺の縁部に備えた磁性部材３５により持手指示機能付担架１を磁着させ、取り出しに際しては前記収納ケース３０の底部に設けた蓋体３２を開けても持手指示機能付担架１は自然落下せず、担架取出部３１からわずかに下方へ引き下げることにより、磁着力の相違から収納ケース３０は被具設物４０に固定されたままで持手指示機能付担架１のみが自重によって自然落下する構成である。
【００４３】
永久磁石３３は、収納ケース３０を保持するための磁性材料と磁着させる磁着力と、持手指示機能付担架１を保持するための磁着力とを、それぞれ異なる磁着力となるように非透磁性部材を利用するなどして相違させ、被具設物４０への収納ケース３０を保持する磁着力を強くし、持手指示機能付担架１を保持する磁着力を弱くし、持手指示機能付担架１を引き抜いても収納ケース３０はそのまま被具設物４０に固定された状態で、持手指示機能付担架１のみが自然落下する取出し機能をより明確に動作させる構成を採用することも有効である。
【００４４】
磁性部材３５は、永久磁石３３の磁力に対応して磁着する性質の、所謂磁性材料でできたものである。一般的なものとしては鉄製のものであり、アルミやステンレスのような非鉄金属等の非磁性材を含まないものである。
【００４５】
図７は、本考案に係る持手指示機能付担架設置システム２の実施状態を示す実施例説明図であり、図７（ａ）は、持手指示機能付担架１が収納ケース３０の内装した状態でＡＥＤ収納ボックスに備えられた実施例を示し、図７（ｂ）は、持手指示機能付担架１を収納ケース３０から取出した状態を示している。図７（ａ）及び図７（ｂ）に示されているのは、置き型のＡＥＤ収納ボックスに、本考案に係る持手指示機能付担架設置システム２が設置されている状態である。係る実施例では、ＡＥＤ収納ボックスが磁性材料でできている場合に、収納ケース３０に備えた具設部材３４を永久磁石とし、磁着によって設置している例である。また、これとは異なる係るＡＥＤ収納ボックスがアルミや樹脂製等の非磁性材料である場合には、被具設部材３６として例えば面ファスナーのループ側の面ファスナー又はフック側面の面ファスナーの何れかをＡＥＤ収納ボックスの表面に貼着し、２の背面に具設部材としてこれに対応する側の面ファスナーを固設して備える構成でもよい。
【００４６】
また、図７（ａ）に示した構成では、収納ケース３０の上部に永久磁石３３を備え、収納される持手指示機能付担架１には磁性部材３５を備え、持手指示機能付担架１を３０保持する構成のものが収容されるものが示しており、この場合においては、永久磁石３３を具設部材とし、磁性材で形成されているＡＥＤ収納ボックスを被具設物４０として具設部材３４及び被具設部材３６を省略することも可能である。
【００４７】
なお、図７（ｂ）に示した通り、収納ケース３０の底部に設けられる蓋体３２を開口することにより、担架取出部３１から自重により持手指示機能付担架１が自然落下することとなるため、収納ケース３０の下側には持手指示機能付担架１を取り出せる空間が必要となる。このように、ＡＥＤ等と合わせて備えれば、緊急時において必要となる担架を即座に取り出して使用できるという効果を発揮することができる。
【産業上の利用可能性】
【００４８】
本考案に係る持手指示機能付担架は、大きな災害時や緊急を要する救出活動等に資するのみならず、使い捨てによる衛生面での問題を回避するとともに軽量コンパクト且つ、安価に製造できることから人の集まる場所に多数配置することが可能であり、例えばＡＥＤ設置される収納ケースに磁着させたり、金属ドアや金属製品にも備えることも可能であり、また、家庭的な利用においても、例えば冷蔵庫の側部にあるわずかな空間にも設置可能であり、また、高齢者等のベッド付近に磁性素材を用いたものがない場合であっても、紐体による具設部材を用いてれば縛着することができるため、あらゆる場面において利用可能な点で、産業上の利用可能性は高いものといえる。
【符号の説明】
【００４９】
１    持手指示機能付担架
２    持手指示機能付担架設置システム
１０  不織布
１１  表面
１２  裏面
１３  穴
１４  持ち手部
１５  指示機能
１６  不織布シート
１７  スリット
２０  非透水性シート
２１  シリコンゴムシート
３０  収納ケース
３１  担架取出部
３２  蓋体
３３  永久磁石
３４  具設部材
３５  磁性部材
３６  被具設部材
４０  被具設物
【図１】
0003209799.tif 000003
【図２】
0003209799.tif 000004
【図３】
0003209799.tif 000005
【図４】
0003209799.tif 000006
【図５】
0003209799.tif 000007
【図６】
0003209799.tif 000008
【図７】
0003209799.tif 000009